(57)【要約】【課題】植物、特に、植物の葉部を簡便に、効率よく生育促進させることができ、葉菜作物や樹木の地上部の生育を効率よく促進することができ、葉菜作物の収量を増加させることができる技術を提供すること。【解決手段】植物の生育環境を、ＮＯX  １０〜２００ｐｐｂの環境に調整することを特徴とする、植物の生育促進方法。【選択図】なし【特許請求の範囲】
【請求項１】
植物の生育環境を、ＮＯX  ５〜２００ｐｐｂの環境に調整することを特徴とする、植物の生育促進方法。
【請求項２】
植物の葉部における生育を促進させる、請求項１記載の植物の生育促進方法。
【請求項３】
植物が、キク科植物、ナス科植物、アカザ科植物、イネ科植物、アブラナ科植物、マツ科植物、スギ科植物、トウヒ科植物、ヒノキ科植物、フトモモ科植物及びヤナギ科植物からなる群より選ばれた植物である、請求項１又は２記載の植物の生育促進方法。
【請求項４】
植物が、葉菜作物又は樹木である、請求項１又は２記載の植物の生育促進方法。
【発明の詳細な説明】
【技術分野】
【０００１】
本発明は、植物の活性化の応用技術に関する。さらに詳しくは、本発明は、植物の生育促進方法に関する。
【背景技術】
【０００２】
農作物、園芸作物等の収穫量を増加させるために、植物の生育を促進させる試みが行なわれている〔例えば、特許文献１〜５を参照のこと〕。
【０００３】
前記特許文献１には、シュードモナス・フルオレッセンス  ＳＣ−２９株を植物に供給することにより、植物の栽培期間の短縮化及び収穫量の増大を行ないうることが開示されている。しかしながら、かかる方法では、植物が植えられている土地の気候や土質が本株に適しているとは限らず、適用対象の土壌に生育する微生物との生存競争により、生存しつづけることができない場合があるため、本株が安定に作用し、生存しつづけることができないという欠点があり、また、散布に労力を要するという欠点がある。
【０００４】
前記特許文献２には、磁力又は電気による周期的な刺激を植物に付与することにより、植物中のリン濃度や植物の生育量を増大させうることが開示されている。しかしながら、広大な土地に適用する場合の装置のコストが高く、土中のイオン量、水分量、土質自体に依存して磁力又は電気の条件は異なるため、実際には、条件設定が難しく、実用性に乏しいという欠点がある。
【０００５】
前記特許文献３には、６２０〜７６０ｎｍの波長範囲の赤色光と４００〜４８０ｎｍの波長範囲の青色光とを植物に照射することにより、植物中のβ−カロチン等の成分を増量させうることが開示されている。しかしながら、特定の波長の光を広大な面積に広がって植えられている植物・作物に照射するためには、発光ダイオードなどの特殊な高価な装置が必要であり、莫大なコストがかかる場合がある等の欠点がある。
【０００６】
前記特許文献４は、ヨウ素−シクロデキストリン包接化物を植物に供給することにより、発芽後の植物を良好に生育させうることが開示されている。しかしながら、かかるヨウ素−シクロデキストリン包接化物を用いた場合、種子の発芽が抑制されるという欠点があり、また、散布に労力を要するという欠点がある。
【０００７】
前記特許文献５は、ＶＡ菌根菌感染源を植物に接種して感染させることにより、植物の枝分れを増加させうることが開示されている。しかしながら、ＶＡ菌根菌感染源の供給時期が限定されており、発芽・発根に時間を要する植物への応用が困難であるという欠点がある。
【特許文献１】特開２００３−２１２７０８号公報
【特許文献２】特開２００３−３１００５７号公報
【特許文献３】特開２００３−２３０３１７号公報
【特許文献４】特開２００３−２２６６０６号公報
【特許文献５】特開２０００−４６７３号公報
【発明の開示】
【発明が解決しようとする課題】
【０００８】
本発明は、植物、特に、植物の葉部、樹木を簡便に生育促進させること、植物、特に、植物の葉部、樹木を効率よく生育促進させること、葉菜作物の葉部を効率よく増加させること、葉菜作物の収量を増加させること等の少なくとも1つを達成しうる、植物の生育促進方法を提供することを目的とする。
【課題を解決するための手段】
【０００９】
すなわち、本発明の要旨は、
〔１〕  植物の生育環境を、ＮＯX  ５〜２００ｐｐｂの環境に調整することを特徴とする、植物の生育促進方法、
〔２〕  植物の葉部における生育を促進させる、前記〔１〕記載の植物の生育促進方法、
〔３〕  植物が、キク科植物、ナス科植物、アカザ科植物、イネ科植物、アブラナ科植物、マツ科植物、スギ科植物、トウヒ科植物、ヒノキ科植物、フトモモ科植物及びヤナギ科植物からなる群より選ばれた植物である、前記〔１〕又は〔２〕記載の植物の生育促進方法、並びに
〔４〕  植物が、葉菜作物又は樹木である、前記〔１〕又は〔２〕記載の植物の生育促進方法、
に関する。
【発明の効果】
【００１０】
本発明の植物の生育促進方法によれば、植物、特に、植物の葉部を簡便に、効率よく生育促進させることができるという優れた効果を奏する。また、本発明の植物の生育促進方法によれば、葉菜作物や樹木の地上部の生育を効率よく促進することができるという優れた効果を奏する。また、本発明の植物の生育促進方法によれば、葉菜作物の収量を増加させることができるという優れた効果を奏する。
【発明を実施するための最良の形態】
【００１１】
本発明は、ＮＯXが、植物の生育に関連するシグナルとして働き、植物の生育を促進するという本発明者らの驚くべき知見に基づく。
【００１２】
本発明の１つの側面は、植物の生育環境を、一定濃度のＮＯXの環境に調整することを特徴とする、植物の生育促進方法に関する。
【００１３】
本発明の植物の生育促進方法は、植物の生育環境を一定濃度のＮＯXの環境に調整しているため、驚くべく、植物の生育を促進することができるという優れた効果を発揮する。具体的には、本発明の植物の生育促進方法によれば、ＮＯX非存在下又は極低レベル（例えば、＜５ｐｐｂ）のＮＯXの存在下に比べ、有意に植物の生育を促進させることができる。
【００１４】
また、本発明の植物の生育促進方法によれば、簡便に、効率よく植物の生育を促進させることができる。
【００１５】
さらに、本発明の植物の生育促進方法は、植物の生育環境を一定濃度のＮＯXの環境に調整しているため、植物の葉部を生育促進させることができるという優れた効果を発揮する。具体的には、本発明の植物の生育促進方法によれば、ＮＯX非存在下又は極低レベル（例えば、＜５ｐｐｂ）のＮＯXの存在下に比べ、有意に植物の葉部の生育を促進させることができる。
【００１６】
本発明の植物の生育促進方法においては、一定濃度のＮＯXを植物の生育促進のシグナルとして用いているため、種々の植物に利用することができる。
【００１７】
本発明の植物の生育促進方法を適用しうる植物としては、キク科植物、ナス科植物、アカザ科植物、イネ科植物、アブラナ科植物、マツ科植物、スギ科植物、トウヒ科植物、ヒノキ科植物、フトモモ科植物及びヤナギ科植物等が挙げられる。具体的には、前記植物としては、シュンギク等のキク科植物、タバコ、トマト、ナス等のナス科植物、ホウレンソウ等のアガサ科植物、イネ、コムギ、オオムギ等のイネ科植物、シロイヌナズナ、キャベツ、ハクサイ等のアブラナ科植物、マツ等のマツ科植物、スギ等のスギ科植物、ドイツトウヒ等のトウヒ科植物、ヒノキ、イトスギ等のヒノキ科植物、ユーカリノキ等のフトモモ科植物、ポプラ等のヤナギ科植物等が挙げられる。
【００１８】
本発明の植物の生育促進方法は、植物の葉部における生育を促進させることができるため、好ましくは、葉菜作物又は樹木類に適用されうる。したがって、本発明の植物の生育促進方法によれば、特に、葉菜作物や樹木の収量を増加させることができ、葉菜作物の樹木の品質の向上を図ることもできる。
【００１９】
本発明の植物の生育促進方法において、ＮＯXの濃度は、用いられる植物の種類、大きさ等に応じて適宜設定されうるが、植物の生育を維持し、該植物の生育促進効果を十分に発揮させる観点から、５〜２００ｐｐｂ、好ましくは、１０〜２００ｐｐｂ、より好ましくは、１００〜２００ｐｐｂである。本発明の植物の生育促進方法においては、ＮＯXの濃度を前記範囲に調整しているため、ＮＯX非存在下又は極低レベル（例えば、＜５ｐｐｂ）のＮＯXの存在下に比べ、驚くべく、植物、特に、植物の葉部の生育を促進することができる。
【００２０】
なお、本明細書において、葉部とは、植物の葉を含む部分をいう。
【００２１】
また、本明細書において、葉菜作物とは、主に葉を食用とする作物をいい、例えば、キャベツ、白菜、レタス、ホウレンソウ、シュンギク、カイワレ、カリフラワー等が挙げられる。
【００２２】
一定濃度のＮＯXの環境は、例えば、土壌に植物を植栽し、土壌に植栽された植物が大気環境と接触する部分、すなわち、植物体の地上部を一定濃度のＮＯXとなるように維持すること等によりつくることができる。具体的には、一定濃度のＮＯXの環境は、植物体の地上部を含む環境を外気から遮断しうる手段、例えば、温室、ビニルハウス等の内部に配置し、内部を一定濃度のＮＯXとなるように維持すること等によりつくることができる。なお、本発明においては、大気環境が、上記ＮＯX濃度範囲である場合、植物を植栽し、そのまま栽培すればよい。かかるＮＯX濃度の維持は、例えば、下記（１）〜（３）：
（１）ＮＯXボンベ、灯油等の燃焼、エンジン等によるＮＯX発生手段と
（２）ＮＯXの除去手段と
（３）該（１）と（２）とを制御することにより所定のＮＯX濃度に調整する制御手段と
の組み合わせ等により行なわれうる。
【００２３】
前記除去手段としては、例えば、図３に示される装置等が挙げられる。ここで、図３に示される装置においては、前記ＮＯXボンベ、灯油等の燃焼、エンジン等から発生したＮＯX（ＮＯ2、ＮＯ）を含有したガスを、ファンモーター１から取り込み、ついで、酸化剤を含有したキャニスター２（例えば、過マンガン酸カリウム等を含有したキャニスター）に通して、ガス中のＮＯをＮＯ2に変換し、その後、ＮＯ2を活性炭カラム３にとおして、活性炭に吸着させ、ＮＯX（ＮＯ2、ＮＯ）が除去された空気が該活性炭カラム３の存在する空気供給孔から供給される。なお、前記活性炭カラム３における活性炭は、空気供給孔の孔径よりも大きい粒径を有する粒状の活性炭であることが望ましい。
【００２４】
なお、本発明においては、大気環境が、上記ＮＯX濃度範囲である場合、植物を植栽し、そのまま栽培してもよい。
【００２５】
植物の生育環境を一定濃度のＮＯX濃度になるように調整する時期は、特に限定されないが、植物が、生成（成長）期にある時期であればよい。
【００２６】
なお、ＮＯXの濃度以外の生育条件は、植物に応じて、適宜設定され得、植物の通常の生育条件と同様であればよい。また、必要に応じて、堆肥の供給、農薬の供給等を行なってもよい。
【００２７】
具体的には、植物の栽培に用いられる土壌には、多量栄養元素（窒素、リン酸、カリウム、カルシウム、マグネシウム、イオン等）、微量栄養元素（ホウ素、塩素、コバルト、銅、ヨウ素、鉄、マンガン、モリブデン、亜鉛）等が含まれていることが望ましい。
【００２８】
なお、本発明の植物の生育促進方法においては、植物は、予め生育させた苗、植物体等を移植し、その後に、前記一定濃度のＮＯXとなる条件に維持して生育させてもよく、播種時から、前記一定濃度のＮＯXとなる条件に維持して生育させてもよい。
【００２９】
本発明の植物の生育促進方法による生育促進効果は、例えば、本発明の植物の生育促進方法を行なった後に得られた植物、具体的には、全植物体、茎葉、根、特に、葉部について、乾燥重量、炭素、窒素、イオウ、リン、カリウム、カルシウム、マグネシウム、アミノ酸、粗タンパク質等の含有量について、測定することにより評価されうる。なお、本発明の植物の生育促進方法を施用せずに栽培した植物、すなわち、ＮＯX非存在下又は極低レベル（例えば、＜５ｐｐｂ）のＮＯXの存在下に栽培した植物を対照として用いることができる。
【００３０】
以下、本発明を実施例等により詳細に説明するが、本発明は、かかる実施例等により、何ら限定されるものではない。
【実施例１】
【００３１】
ニコチアナ  プルムバギニフォリア（Ｎｉｃｏｔｉａｎａ  ｐｌｕｍｂａｇｉｎｉｆｏｌｉａ）を、バーミキュライト及びパーライト（１：１、ｖ／ｖ）が入ったプラスチックポットに植え、３週齢の若木を、制御された温室に備えられた曝露チャンバーの内側又は外側に置いた。
【００３２】
流速４ｍ3／分で新鮮な空気を外から温室に取り込み、温室内の空気を、活性炭が入ったカラムを通して濾過した。新鮮な空気を、流速１リットル／分で曝露チャンバーに導入した。15Ｎ-標識ＮＯ2（５１．６原子％  15Ｎ）  ２００±２０ｐｐｂを曝露チャンバーの気相（１０〜２０ｐｐｂ  ＮＯが存在する）に入れたが、温室のチャンバーの外側のＮＯX濃度は、＜５ｐｐｂであった。
【００３３】
チャンバー内側及び外側のＣＯ2及びＯ2の濃度を、それぞれ、３４０±８０ｐｐｍ及び＜５ｐｐｂに保った。植物を、１０ｍＭ  硝酸カリウムを含むコイックとレセイントとの培地で４日毎に補い、自然光の下、２２±０．３℃、７０±４％の相対湿度で１０週間生育させた。
【００３４】
栽培終了後、植物を回収し、草丈、葉面積を測定し、凍結乾燥させた。その後、茎葉及び根の乾燥重量、元素及び全アミノ酸を測定した。
【００３５】
また、全窒素、ＮＯX由来窒素及び炭素を、タカハシ（Ｍ．Ｔａｋａｈａｓｈｉ）ら〔Ｐｌａｎｔ  Ｐｈｙｓｉｏｌ．、１２６、７３１（２００１）〕に従い、マススペクトロメトリーにより解析した。具体的には、乾燥させた植物の茎葉及び根を粉末にし、精秤後、元素分析系直結型安定同位体質量分析計により、全窒素及び全炭素を定量した。また、試料中の重窒素（15Ｎ）量を測定することにより、ＮＯX由来窒素量を測定した。
【００３６】
粗タンパク質含有量を、前記タカハシ（Ｍ．Ｔａｋａｈａｓｈｉ）ら〔Ｐｌａｎｔ  Ｐｈｙｓｉｏｌ．、１２６、７３１（２００１）〕のように、還元窒素に基づくマススペクトロメトリーにより測定した。具体的には、前記タカハシらの方法でケルダール分解を行ない得られたアンモニア量を元素分析計直結型安定同位体質量分析により測定し、粗タンパク質含有量を求めた。
【００３７】
全イオウ量、全リン量、全カリウム量、全カルシウム量及び全マグネシウム量を、ロデュシュキン（Ｉ．Ｒｏｄｕｓｈｋｉｎ）ら〔Ａｎａｌ．Ｃｈｉｍ．Ａｃｔａ、３７８，１９１（１９９９）〕のように、共役プラズマ原子発光分析により解析した。
【００３８】
具体的には、乾燥させた植物の茎葉及び根を粉末にし、精秤後、テフロンビーカーに移し、得られた産物  ０．５ｇに、６８％（ｗ／ｖ）  濃硝酸  １０ｍｌと、３０％（ｗ／ｖ）  過酸化水素水  ２ｍｌとを添加し、得られた混合物を２００〜２２０℃で６０分間加熱し、さらに６８％（ｗ／ｖ）  濃硝酸  １０ｍｌと、３０％（ｗ／ｖ）  過酸化水素水  ２ｍｌとを添加し、得られた混合物を２００〜２２０℃で４０〜５０分間加熱し、加熱分解を行なった。なお、かかる加熱分解の操作を２〜３回行なった。得られた産物を５０ｍｌに定容し、測定した。
【００３９】
また、全遊離アミノ酸を、イガラシ（Ｄ．Ｉｇａｒａｓｈｉ）ら〔Ｐｌａｎｔ  Ｊ．、３３、９７５−９８７（２００３）〕に従い、エタノールで抽出し、解析した。具体的には、乾燥させた茎葉又は根を粉末にし、得られた産物を精秤後、８０％  エタノールを該産物に添加した。その後、８０℃に加熱し、アミノ酸の抽出を行ない、得られた産物をエバポレーターで蒸発乾固させ、０．０２Ｎ  塩酸に溶解し、得られた試料について、アミノ酸分析計で測定した。
【００４０】
また、ニコチアナ  プルムバギニフォリア（Ｎｉｃｏｔｉａｎａ  ｐｌｕｍｂａｇｉｎｉｆｏｌｉａ）を、２００ｐｐｂのＮＯXの汚染空気中及び５ｐｐｂ未満のＮＯXの清浄空気中のそれぞれで、自然光下、１０週間生育させた。なお、他の条件は、前記と同様にした。結果を図２に示す。
【００４１】
その結果、図１のパネルＡに示されるように、意外なことに、汚染空気中で栽培された植物のバイオマスは、清浄空気中で栽培された植物のほぼ２倍であった。また、図１のパネルＡに示されるように、ＮＯX曝露によるバイオマスの増加は、植物あたりの調べられた全主要元素、炭素、窒素、イオウ、リン、カリウム、カルシウム及びマグネシウムの組成の非常に類似した増加又はより大きな増加を伴っていた。興味深いことに、ＮＯX曝露は、植物あたりの全遊離アミノ酸及び粗タンパク質の含有量を同程度に増加させた。
【００４２】
図２に示されるように、ＮＯX曝露された植物は、非曝露植物の類似の外観の１．７倍程度であり、環境レベルの大気のＮＯXが、植物を「活性化」し、炭素固定、窒素同化、アミノ酸及びタンパク質の合成並びに全主要元素の取り込みは、全て、ＮＯX曝露で刺激されたという点で植物に有益であることがわかった。
【００４３】
さらに、図１のパネルＢに示されるように、アイソトープマススペクトル解析は、ＮＯX由来窒素は、茎葉及び根における全窒素の３％未満であった。
【００４４】
したがって、環境レベルのＮＯXは、（長期曝露後でさえ）Ｎ源として、極わずかに寄与するにすぎず、窒素源としての作用とは異なる作用を発揮していることが示唆される。かかる知見により、環境レベルの大気ＮＯXは、有害因子又はＮ源ではなく、植物活性化シグナルとして働くことが示される。
【実施例２】
【００４５】
シロイヌナズナ（Ａｒａｂｉｄｏｐｓｉｓ  ｔｈａｌｉａｎａ  ｅｃｏｔｙｐｅ  Ｃ２４）の種子を、４℃で一晩吸水させた。得られた種子を、１バットあたり５００粒ずつ、バーミキュライト及びパーライト（１：１、ｖ／ｖ）の混合物が入ったプラスチックポットに播種した。前記ポットを、制御された温室に備えられた２つの曝露チャンバーの内部に置いた。チャンバー内のＣＯ2及びＯ2の濃度を、それぞれ、３容積％及び２０容積％に保った。なお、前記曝露チャンバーの一方は、ＮＯX濃度１５０ｐｐｂとし、他方は対照としてＮＯX非暴露（５ｐｐｂ未満）とした。
【００４６】
２０ｍＭ  硝酸カリウムを含む１／２ＭＳ[ＭＳ基本培地〔ムラシゲ（Ｍｕｒａｓｈｉｇｅ，Ｔ．）ら，Ｐｈｙｓｉｏｌ．Ｐｌａｎｔ．，１５：４７３，（１９６２）〕]を、植物に３日毎に供給し、自然光の下、２２℃、７０％の相対湿度で４週間生育させた。
【００４７】
その後、前記シロイヌナズナの茎葉及び根を凍結乾燥させた。前記実施例１と同様の手法により、成長量と主成分とを分析した。なお、15ＮでラベルしたＮＯXで暴露し元素分析計直結質量分析計により分析することで、ＮＯX由来の窒素吸収量を調べた。結果を、図４、図５及び表１に示す。
【００４８】
【表１】
2005270098.tif 000002
【００４９】
その結果、表１に示されるように、ＮＯX濃度１５０ｐｐｂで生育させたシロイヌナズナの茎葉バイオマスは、ＮＯX非存在下で生育させたものと比較して、約１．７倍、根バイオマスは、約１．４倍まで増加した。
【００５０】
また、図４に示されるように、各主要元素の取り込み、同化量も同様に増加した。さらに、図５に示されるように、ＮＯX由来の窒素量は、全窒素量の４％以下であるため、ＮＯXの窒素源としての成長量の増加への寄与は無視できることが示唆される。したがってＮＯXによる成長促進は、ＮＯXのホルモン様効果によるものであることが示唆される。
【産業上の利用可能性】
【００５１】
本発明によれば、生物の生育を促進させることができ、したがって、作物や樹木の収量の増大や品質の向上に有用である。
【図面の簡単な説明】
【００５２】
【図１】図１は、ニコチアナ  プルムバギニフォリア（Ｎｉｃｏｔｉａｎａ  ｐｌｕｍｂａｇｉｎｉｆｏｌｉａ）の茎葉あたりのバイオマス収量、元素組成（全Ｎ、Ｃ、Ｐ、Ｋ、Ｃａ及びＭｇ）並びに代謝産物（全遊離アミノ酸及び粗タンパク質）及び茎葉及び根における窒素の同位体組成を示す。パネル（Ａ）において、黒カラム及び白カラムは、それぞれ、ＮＯX-曝露植物及び非曝露植物に対応する。非曝露植物の各値を１００として、６連（バイオマス）又は３連（他のデータ）の平均の相対値を示す。バーは、標準偏差を示す。非曝露植物の茎葉あたりの絶対値は、以下の通りである：バイオマス（１．０４±０．０９ｇ）、Ｃ（３８２±５ｍｇ）、Ｎ（３２．６±２．０ｍｇ）、Ｓ（２．８６±０．４３ｍｇ）、Ｐ（２．５±０．４ｍｇ）、Ｋ（６９．０±７．８ｍｇ）、Ｃａ（２４．２±５．２ｍｇ）、Ｍｇ（３．４３±０．６２ｍｇ）、全アミノ酸（１８１±９μｍｏｌ）及び粗タンパク質（１８１±５ｍｇ）。パネル（Ｂ）は、ＮＯX-曝露植物における全窒素の硝酸性窒素の割合（黒カラム）及びＮＯX性窒素の割合（白カラム）を示す。これらの値は、３連の平均±標準偏差である。
【００５３】
【図２】図２は、２００ｐｐｂのＮＯXの汚染空気中及び５ｐｐｂ未満のＮＯXの清浄空気中のそれぞれで、自然光下、１０週間生育させた植物を示す。図中、左パネルが、２００ｐｐｂのＮＯXの汚染空気の場合、右パネルは、５ｐｐｂ未満のＮＯXの清浄空気の場合を示す。
【００５４】
【図３】図３は、ＮＯXの除去手段を示す図である。図中、点線の矢印は、空気の流れを示す。図３に示される装置においては、前記ＮＯXボンベ、灯油等の燃焼、エンジン等から発生したＮＯX（ＮＯ2、ＮＯ）を含有したガスを、ファンモーター１から取り込み、ついで、酸化剤を含有したキャニスター２（例えば、過マンガン酸カリウム等を含有したキャニスター）に通して、ガス中のＮＯをＮＯ2に変換し、その後、ＮＯ2を活性炭カラム３にとおして、活性炭に吸着させ、ＮＯX（ＮＯ2、ＮＯ）が除去された空気が該活性炭カラム３の存在する空気供給孔から供給される。
【００５５】
【図４】図４は、シロイヌナズナ（Ａｒａｂｉｄｏｐｓｉｓ  ｔｈａｌｉａｎａ  ｅｃｏｔｙｐｅ  Ｃ２４）の茎葉あたりのバイオマス収量及び元素組成（全Ｎ、Ｃ、Ｓ、Ｐ、Ｋ、Ｃａ及びＭｇ）を示す。黒カラム及び白カラムは、それぞれ、ＮＯX-曝露植物及び非曝露植物に対応し、値は、非曝露植物（対照）の各値を１００として、平均の相対値を示す。バーは、標準偏差を示す。
【００５６】
【図５】図５は、シロイヌナズナ（Ａｒａｂｉｄｏｐｓｉｓ  ｔｈａｌｉａｎａ  ｅｃｏｔｙｐｅ  Ｃ２４）の茎葉及び根における窒素の同位体組成を示す。
【符号の説明】
【００５７】
１    ファンモーター
２    キャニスター
３    活性炭カラム
【図１】
2005270098.tif 000003
【図２】
2005270098.tif 000004
【図３】
2005270098.tif 000005
【図４】
2005270098.tif 000006
【図５】
2005270098.tif 000007